(57)【要約】【課題】光ディスク等の情報記録媒体に対する情報の記録／再生を、この情報記録媒体を回転させながら行うことができるとともに、この情報記録媒体に取り付けたＩＣメモリ等に対する情報の記録／再生を、この情報記録媒体を静止させた状態で行うことが可能な情報記録装置を提供する。【解決手段】ＩＣメモリ２０２，２０３を配置した情報記録媒体２０１を情報記録装置内に組み込む。入出力端子２０４，２０５をＩＣメモリを接触させ、これらに記録された情報を一時記憶手段２０６に読み込む。入出力端子をＩＣメモリから離し情報記録媒体を回転させて、情報記録媒体に記録された情報をヘッド２０７で記録／再生する。この情報は情報記録装置内の情報制御装置２０８から送られる。ファイル管理に必要となる情報など、情報記録媒体が回転していない状態で読み取る情報は、情報制御装置２０８から一時記憶手段２０６に送って格納する。【選択図】　　　　図２
2004022016.tif 000002
【特許請求の範囲】
【請求項１】
回転させつつ情報の記録／再生を行う第１の情報記録領域と、静止させた状態で情報の記録／再生を行う第２の情報記録領域とを設けた円盤状の情報記録媒体から、該情報記録媒体を回転させつつ情報の読み取り／書き込みを行う第１の情報記録／再生手段と、情報記録媒体を静止させた状態で情報の記録／再生を行う第２の情報記録／再生手段とを備え、
情報記録媒体の前記第２の情報記録領域から読み取った情報と、前記第２の情報記録領域に新たに書き込む情報とを一時的に保存する記憶手段と、
該記憶手段に格納された書き込み情報を情報記録媒体の前記第２の情報記録領域に書き込む書き込み手段と
を備えたことを特徴とする情報記録装置。
【請求項２】
前記情報記録媒体を収納する格納ケースを備え、この格納ケースに前記情報記録媒体を格納して情報記録媒体の着脱を行う情報記録装置であって、
前記格納ケースに、前記情報記録媒体に設けた前記第２の情報記録領域とのデータの入出力を行う端子と、
当該情報記録装置とのデータの入出力を行う端子と
を設けたことを特徴とする請求項１に記載の情報記録装置。
【請求項３】
前記格納ケースは、内部電源と、情報記録媒体を静止させた状態で記録／再生を行う情報の一時記憶手段と、
格納ケース内に収納された情報記録媒体の前記第２の情報記録領域に情報の書き込みを、当該情報記録装置から取り出された状態で行う情報書き込み手段と
を設けたことを特徴とする請求項１または２に記載の情報記録装置。
【発明の詳細な説明】
【０００１】
【発明の属する技術分野】
本発明は、円盤を回転させ円盤表面およびその近傍の状態を変化させることにより情報を記録し、円盤表面およびその近傍の状態の変化を検出することにより情報を読み取る情報記録媒体、例えば、光もしくは磁気を利用し、または光と磁気を利用した情報記録媒体である光ディスク、光磁気ディスク等を用いた情報記録装置に関わり、特に、光ディスク等のメディアを回転させつつ情報の記録／再生を行う以外の情報の記録／再生が可能な情報記録メディアを利用する情報記録装置に関わる。本発明は、円盤状の記録メディアであれば、いずれのものにも同様に応用できる。
【０００２】
【従来の技術】
近年、情報の記録手段として光ディスクが広く一般に利用されている。従来、再生専用であった光ディスクでは、利用者が自己の情報を記録／再生できるＣＤ−Ｒや、書き換えも可能なＣＤ−ＲＷなどの新しいディスクメディアが普及している。
【０００３】
これらのメディアは、中心に直径２ｃｍ程度の円孔を設けた円盤であり、この円盤を回転させることで記録／再生が行われる。また、従来のＭＯなどと異なり、ディスクメディアを格納するケースはない。
【０００４】
また、ディスクメディアを格納するケースにＩＣメモリ等を取り付けることで、メディアに記録されたファイル名・記録日時など、ファイル管理に必要なデータをＩＣメモリに格納し、情報管理機能を向上させるものがあった。これはディスクメディアに限られた技術ではなく、例えばビデオテープなど、メディアを格納するケースがあるものであれば、そのケースにＩＣメモリを設けることにより容易に実現できるものである。
【０００５】
一方、ＣＤ−ＲやＣＤ−ＲＷなど、メディアを格納するケースを持たないディスクメディアに対しても、メディア本体にＩＣメモリを取り付けることで同様の機能を実現できることは容易に考えつくが、ＣＤ−ＲやＣＤ−ＲＷでは、ディスクを高速で回転させるため、単にＩＣメモリを取り付けるだけでは、不具合が発生してしまう。
【０００６】
光ディスクにＩＣメモリを設けた例として、（１）特開平５−１０９２３６号公報に開示された「情報記録媒体及びその保管装置」や、（２）特開平５−７３７３５号公報に開示された「記憶媒体」がある。
【０００７】
上記（１）の発明の目的は、媒体を選択するのが容易で、かつ必要な書誌的事項を記憶できる情報記録媒体およびその保管装置を提供するものである。そしてその構成は、光及び／又は磁気を利用して情報の記録／再生を行う情報記録媒体において、当該媒体本体または当該媒体を保持するケースにＩＣメモリによる記憶装置を設け、当該媒体に記録されている情報に関する書誌的事項を記憶可能としたことを特徴とする情報記録媒体である。また、この発明の構成は、上記情報記録媒体を保管するための装置であって、当該媒体を保持する部分の少なくとも一部に、当該媒体に具備されているＩＣメモリの内容を読み取るための端子を設けたことを特徴とする保管装置である。
【０００８】
上記（２）の発明の目的はファイル名、レビジョン、日付など、必要な情報を半導体メモリから情報を読み出して記憶媒体上の液晶表示器に表示することにある。そしてその構成は、データ保持用電池によってバックアップされた半導体メモリ対して情報処理装置からのデータの書き込み及び読み出しが可能であるとともに、前記情報処理装置に装着可能なカード形の容器に前記データ保持用電池及び前記半導体メモリを収納した記憶媒体であって、液晶表示器と、前記半導体メモリからファイル名などを読み出して前記液晶表示器に表示させる表示制御回路とを具備することを特徴とする記憶媒体である。
【０００９】
しかしながら、上記（１），（２）に係る発明の基本的な構成は、光ディスク本体を収納するケースあるいはカートリッジへのＩＣメモリの設置を前提としたもので、回転させる必要のある光ディスク本体へのＩＣメモリ等の設置を考慮したものではない。
【００１０】
また、メディア本体に取り付けたＩＣメモリ等は、メディアを回転させつつ行う情報の読み込み／書き込みと並行して、情報の読み込み／書き込みを実施することはできない。
【００１１】
【発明が解決しようとする課題】
本発明は、従来技術の上記問題点に鑑みなされたもので、その目的は、光ディスク等の情報記録媒体（メディア）に対する情報の記録／再生を、この情報記録媒体を回転させながら行うことができるとともに、この情報記録媒体に取り付けたＩＣメモリ等に対する記録／再生を、この情報記録媒体を静止させた状態で行うことが可能な情報記録装置を提供することにある。
【００１２】
すなわち本発明の目的は、メディアを静止させた状態で読み込み／書き込みを実施する情報を一時保存する一時記憶手段を設けることで、メディアを回転させつつ読み込み／書き込みを実施するのと同時に、メディアを静止させた状態で読み込み／書き込みを一時記憶手段に対して実施することで、メディア本体に取り付けたＩＣメモリ等の記録／再生を容易にする情報記録装置を提供することである。
【００１３】
【課題を解決するための手段】
請求項１に係る発明は、回転させつつ情報の記録／再生を行う第１の情報記録領域と、静止させた状態で情報の記録／再生を行う第２の情報記録領域とを設けた円盤状の情報記録媒体から、該情報記録媒体を回転させつつ情報の読み取り／書き込みを行う第１の情報記録／再生手段と、情報記録媒体を静止させた状態で情報の記録／再生を行う第２の情報記録／再生手段とを備え、情報記録媒体の前記第２の情報記録領域から読み取った情報と、前記第２の情報記録領域に新たに書き込む情報とを一時的に保存する記憶手段と、該記憶手段に格納された書き込み情報を情報記録媒体の前記第２の情報記録領域に書き込む書き込み手段とを備えたことを特徴とする情報記録装置である。
【００１４】
請求項２に係る発明は、前記情報記録媒体を収納する格納ケースを備え、この格納ケースに前記情報記録媒体を格納して情報記録媒体の着脱を行う情報記録装置であって、前記格納ケースに、前記情報記録媒体に設けた前記第２の情報記録領域との（該領域に対する）データの入出力を行う端子と、当該情報記録装置とのデータの入出力を行う端子とを設けたことを特徴とする請求項１に記載の情報記録装置である。
【００１５】
請求項３に係る発明は、前記格納ケースが内部電源と、情報記録媒体を静止させた状態で記録／再生を行う情報の一時記憶手段と、格納ケース内に収納された情報記録媒体の前記第２の情報記録領域に情報の書き込みを、当該情報記録装置から取り出された状態で行う情報書き込み手段とを設けたことを特徴とする請求項１または２に記載の情報記録装置である。
【００１６】
【発明の実施の形態】
以下、本発明の実施の形態を、図面を参照しながら説明する。
図１は、光ディスク等の円盤状情報記録媒体の構成を示す模式的平面図である。この情報記録媒体は、これを静止させた状態で情報の読み取り／書き込みを実施できる、ＩＣメモリなどの記録領域を設けた情報記録媒体の例である。
【００１７】
光ディスク等の円盤状の情報記録媒体１０１は、円盤の中心１０５を同心とした円孔１０４があり、円盤の中心１０５を回転中心とし、円盤を回転させながら情報の入出力を行う情報記録媒体である。図１に示す情報記録媒体では、円盤の回転を伴う情報の入出力を行うための情報記録領域１０２と、その内側に円盤の回転を伴う情報の入出力が困難な領域１０３とが設けられ、この領域１０３に、円盤の回転を伴わず静止した状態での電気的な情報の入出力が可能な４つのＩＣメモリ１０６，１０７，１０８，１０９が配置してある。
【００１８】
これら４つのＩＣメモリのうち、円盤中心１０５の上部に配置したＩＣメモリ１０６と下部に配置したＩＣメモリ１０７は、円盤中心１０５に関し点対称の位置にある。同様に円盤中心１０５の左右に配置してあるＩＣメモリ１０８，１０９も円盤中心１０５に関し点対称の位置にある。さらに、これら４つのＩＣメモリは、同一角度ピッチ（９０°）で配置されている。このような配置とすることで、回転中心から外れた位置にＩＣメモリを配置したことによる円盤回転への影響、例えば偏心等の影響を防止している。
【００１９】
第１の実施の形態（請求項１の発明）
図２は、図１の情報記録媒体２０１が情報記録装置内部に組み込まれた状態を示す模式的正面図であり、この情報記録媒体２０１は静止している。この状態でＩＣメモリ２０２，２０３とのデータの入出力を行うための入出力端子２０４，２０５がＩＣメモリ２０２，２０３に接しており、ＩＣメモリに記録された情報は、一時記憶手段２０６に読み込まれる。このとき記録／再生ヘッド２０７は動作していない。このヘッド２０７は、情報記録媒体を回転させることで、メディアに記録された情報を記録／再生するものである。
【００２０】
図３は、情報記録装置内部に組み込まれた情報記録媒体２０１が回転駆動されている状態を示す模式的正面図である。このとき、ＩＣメモリ２０２，２０３に接していた端子２０４，２０５は上方に移動し、これらのＩＣメモリから離れており、情報記録媒体２０１の回転を妨げることはない。また、記録／再生ヘッド２０７がディスク表面（情報記録媒体２０１の表面）に近づき、これに記録された情報の読み取り／書き込み動作を実施する。この情報は、情報記録装置内の情報制御装置２０８等から送られる情報である。同時に、この情報に係る情報、例えば、ファイル管理に必要となる情報など、ディスクが回転していない状態で読み取る情報は、情報制御装置２０８から一時記憶手段２０６に送られ、格納される。
【００２１】
情報記録媒体２０１を回転させての記録／再生が完了し、情報記録媒体２０１の回転が停止したところで端子２０４，２０５が情報記録媒体のＩＣメモリに再び接触し（図４）、一時記憶手段２０６に格納された情報がＩＣメモリに書き込まれる。
【００２２】
図２〜図４に示す上記一連の動作により、情報記録媒体２０１を回転させつつ行う第１の記録／再生と、情報記録媒体２０１を静止させて行う第２の記録／再生とを、見かけ上並行して実施することができ、情報記録装置としてのパフォーマンスを向上させることができる。
【００２３】
第２の実施の形態（請求項２の発明）
図５は情報記録装置の要部構造を示す模式的な正面断面図であり、情報記録媒体５０２が、情報記録装置への着脱用ケース５０１に格納されている。情報記録媒体５０２上に配置されたＩＣメモリ５０３，５０４に、ＩＣメモリとの情報の入出力を実施するためのケース内端子５０５，５０６が接触している。これらのケース内端子は、情報記録装置内の情報制御装置に対して信号の入出力を行うための外部端子５０９に接続されており、情報記録装置はこれらケース内端子および外部端子を介して、上記ＩＣメモリへの情報の記録／再生を実施する。また、ケース内端子５０５，５０６は、情報記録媒体５０２の回転駆動軸５０７の動きに応じて上下する位置制御手段５０８により、上記ＩＣメモリとの接触／非接触の制御がなされる。
【００２４】
すなわち、情報記録媒体５０２が回転しているときには、ケース内端子５０５，５０６は上方に移動しＩＣメモリから離れることで、情報記録媒体５０２の回転を妨げることはない。また、情報記録媒体５０２が静止した状態でのみ、ケース内端子５０５，５０６は下方に移動してＩＣメモリに接触し、情報の入出力が可能となる。なお、着脱用ケース５０１に格納された情報記録媒体の、情報記録装置に対する着脱構造は公知の技術であり、これについての説明は省略する。
【００２５】
第３の実施の形態（請求項３の発明）
図６は情報記録装置の要部構造を示す模式的な正面断面図であり、図５と同様に、情報記録媒体６０２が情報記録装置への着脱用ケース６０１に格納されている。情報記録媒体６０２上に配置されたＩＣメモリ６０３，６０４に、これらＩＣメモリとの情報の入出力を実施するためのケース内端子６０５，６０６が接触している。これらの端子は、上記ＩＣメモリに対して情報の記録／再生を行う記録／再生手段６１１に接続されており、図６のようにＩＣメモリに接触した状態でＩＣメモリとの情報の記録／再生が可能である。記録／再生手段６１１は、着脱用ケース６０１内に設置されている電池６１０を電源とし、外部電力なしで動作するものであり、情報記録装置本体に組み込まれた状態でなくても、単独で情報の入出力が可能となっている。
【００２６】
また、上記ＩＣメモリに対する入出力データは、着脱用ケース６０１外に配置した一時記憶手段６０９に格納される。情報記録媒体６０２が情報記録装置本体に格納された状態で着脱用ケース６０１が組み込まれた際には、この一時記憶手段６０９に対して、読み込み／書き込みの動作が実施される。また、ケース内端子６０５，６０６の位置制御については、図５に示した第２の実施の形態と同様に、情報記録媒体６０２の回転駆動軸６０７の動きに応じて上下する位置制御手段６０８によりその位置が適切に制御され、情報記録媒体の回転を妨げることはない。
【００２７】
図７は、図６と同様構成を有する情報記録装置の要部構造を示す模式的な平面図であり、着脱ケース７０１内に情報記録媒体７０２が格納されている。また、この情報記録媒体７０２上に配置されたＩＣメモリ（図略）に対して情報の記録／再生を行うケース内端子７０３，７０４，７０５，７０６が情報記録媒体７０２の中心から等距離の位置に、かつ同一角度ピッチ（９０°）で配置されている。図７中の左上方には電池７０８が配置され、同図中の右上方には上記ＩＣメモリに対して情報の記録／再生を行うための情報記録／再生手段７０７と、一時記憶手段７０９とが、着脱用ケース７０１の外壁を挟んで配置されている。図７で明らかなように、情報記録媒体７０２が円盤形状であるのに対し、着脱用ケース７０１は矩形であるから、このケース内の四方（情報記録媒体７０２の周囲）に、上記電池７０８や情報記録／再生手段７０７を配置するスペースは十分確保できる。
【００２８】
【発明の効果】
以上の説明で明らかなように、本発明によれば以下の効果が得られる。
（１）請求項１の発明による効果
本発明の情報記録装置は、情報記録媒体である円盤を回転させて情報の記録／再生を行うほか、情報記録媒体を静止させた状態での情報の記録／再生を行うことができる。また、情報記録媒体を静止させた状態で読み取り／書き込みを行う情報を一時記憶させる記憶手段を設けてあるので、情報記録媒体を回転させて行う情報の記録／再生を実行中でも、この一時記憶手段を介して、情報記録媒体を静止させた状態での情報の記録／再生を同時に行うことができる。
【００２９】
（２）請求項２の発明による効果
本発明の情報記録装置は、情報記録媒体を格納し情報記録媒体の着脱を行うケースを備え、このケースに設けられた端子により、情報記録媒体を静止させた状態で記録／再生情報の入出力を実施できるので、情報記録媒体に配置してある、静止状態で行う記録／再生のための端子等を損傷させることなく、情報記録媒体の着脱を行うことができる。
【００３０】
（３）請求項３の発明による効果
本発明の情報記録装置では情報記録媒体の着脱を行うケースが、情報記録媒体を静止させた状態で機能する記録／再生情報の一時記憶手段と、内部電源と、情報記録媒体を静止させた状態で機能する情報の書き込み手段とを備えている。このため、情報記録媒体を情報記録装置から取り外したのちに、情報記録媒体を静止させた状態での情報の書き込みを実行することができるので、情報記録媒体の取り出しを、一時記憶手段からの情報の書き込みを待つことなく、スムーズに行うことができる。
【図面の簡単な説明】
【図１】本発明に係る円盤状情報記録媒体の構成例を示す模式的平面図である。
【図２】本発明の第１の実施の形態に係る情報記録装置を示す模式的正面図であって、情報記録装置内部に組み込まれた情報記録媒体を静止させ、ＩＣメモリに記録された情報を一時記憶手段に読み込むときの状態を示すものである。
【図３】図２の情報記録装置を示す模式的正面図であって、情報記録媒体が回転駆動されているときの状態を示すものである。
【図４】図２の情報記録装置を示す模式的正面図であって、入出力端子を情報記録媒体のＩＣメモリに再び接触させ、一時記憶手段に格納された情報をＩＣメモリに書き込むときの状態を示すものである。
【図５】本発明の第２の実施の形態に係る情報記録装置の要部構造を示す模式的正面断面図である。
【図６】本発明の第３の実施の形態に係る情報記録装置の要部構造を示す模式的正面断面図である。
【図７】図６と同様構成の情報記録装置の要部構造を示す模式的平面図である。
【符号の説明】
１０１：情報記録媒体
１０２：情報記録領域
１０３：領域
１０４：円孔
１０５：円盤の中心
１０６〜１０９：ＩＣメモリ
２０１：情報記録媒体
２０２，２０３：ＩＣメモリ
２０４，２０５：入出力端子
２０６：一時記憶手段
２０７：記録／再生ヘッド
２０８：情報制御装置
５０１：着脱用ケース
５０２：情報記録媒体
５０３，５０４：ＩＣメモリ
５０５，５０６：ケース内端子
５０７：回転駆動軸
５０８：位置制御手段
５０９：外部端子
６０１：着脱用ケース
６０２：情報記録媒体
６０３，６０４：ＩＣメモリ
６０５，６０６：ケース内端子
６０７：回転駆動軸
６０８：位置制御手段
６０９：一時記憶手段
６１０：電池
６１１：記録／再生手段
７０１：着脱用ケース
７０２：情報記録媒体
７０３〜７０６：ケース内端子
７０７：情報記録／再生手段
７０８：電池
７０９：一時記憶手段
【図１】
2004022016.tif 000003
【図２】
2004022016.tif 000004
【図３】
2004022016.tif 000005
【図４】
2004022016.tif 000006
【図５】
2004022016.tif 000007
【図６】
2004022016.tif 000008
【図７】
2004022016.tif 000009